(57)【要約】【課題】光源が光を放射するために消費される電力を低減することが可能な表示装置を提供すること。【解決手段】表示装置２は、光を放射する光源６と、表示部材３と、を備える。表示部材３は、調光部が埋設された部材である。調光部は、光を散乱させる散乱状態と、光を透過させる透過状態と、に状態を切り替え可能に構成される。表示部材３は、光源６から放射された光のすべてが入射するように構成される。表示部材３は、入射した光を調光部へ導光する。これによれば、光源６から放射された光のすべてを表示部材３へ入射させることができる。即ち、表示部材３へ入射されない光が光源６から放射されることを回避することができる。この結果、光源６が光を放射するために消費される電力を低減することができる。【選択図】図５
2010250031.tif 000002
【特許請求の範囲】
【請求項１】
光を放射する光源と、
光を散乱させる散乱状態と、光を透過させる透過状態と、に状態を切り替え可能に構成された調光部が埋設されるとともに、前記光源から放射された光のすべてが入射するように構成され、且つ、当該入射した光を前記調光部へ導光するように構成された部材であって、互いに平行な頂面及び底面と側面とを有する部材である表示部材と、
を備える表示装置。
【請求項２】
請求項１に記載の表示装置であって、
前記光源から放射された光が前記表示部材の側面から入射するように構成され、且つ、当該入射した光が当該表示部材の頂面及び底面にて反射される範囲内の角度にて、前記光源から放射された光が当該側面へ入射するように構成された表示装置。
【請求項３】
請求項１又は請求項２に記載の表示装置であって、
前記光源は、発光部により発せられた光を集光する集光部を有する表示装置。
【請求項４】
請求項１乃至請求項３のいずれか一項に記載の表示装置であって、
前記表示部材の側面は、前記入射した光を全反射するように形成された表示装置。
【請求項５】
請求項１乃至請求項３のいずれか一項に記載の装置であって、
前記表示部材の側面は、前記入射した光の一部を透過させるように形成された表示装置。
【請求項６】
請求項１乃至請求項５のいずれか一項に記載の表示装置であって、
前記調光部は、当該調光部に印加されている電圧に応じて前記状態を切り替えるように構成された表示装置。
【請求項７】
請求項６に記載の表示装置であって、
前記調光部は、ＰＮＬＣ（Ｐｏｌｙｍｅｒ  Ｎｅｔｗｏｒｋ  Ｌｉｑｕｉｄ  Ｃｒｙｓｔａｌ）からなる表示装置。
【請求項８】
請求項１乃至請求項７のいずれか一項に記載の表示装置であって、
ユーザによって接触された場合に当該ユーザが接触した位置に応じた信号を出力し、且つ、前記表示部材の頂面に積層された入力部材を備える表示装置。
【請求項９】
請求項１乃至請求項８のいずれか一項に記載の表示装置であって、
携帯電話機に配設された表示装置。
【請求項１０】
光源から光を放射する光放射工程と、
光を散乱させる散乱状態と、光を透過させる透過状態と、に状態を切り替え可能に構成された調光部が埋設されるとともに、互いに平行な頂面及び底面と側面とを有する部材である表示部材へ、前記光源から放射された光のすべてが入射する光入射工程と、
前記入射した光を前記調光部へ導光する導光工程と、
を含む表示方法。
【請求項１１】
請求項１０に記載の表示方法であって、
前記光入射工程は、前記光源から放射された光が前記表示部材の側面から入射するように構成され、且つ、当該入射した光が当該表示部材の頂面及び底面にて反射される範囲内の角度にて、前記光源から放射された光が当該側面へ入射するように構成された表示方法。
【発明の詳細な説明】
【技術分野】
【０００１】
本発明は、光源から放射された光が入射され、入射された光を散乱することにより文字及び／又は図形等を表示する表示装置に関する。
【背景技術】
【０００２】
光源から放射された光が入射され、入射された光を散乱することにより文字及び／又は図形等を表示する表示装置が知られている。この種の表示装置の一つとして、特許文献１に記載の表示装置は、光を放射する光源と、調光部が埋設された表示部材と、を備える。
【０００３】
調光部は、光を散乱させる散乱状態と、光を透過させる透過状態と、に状態を切り替え可能に構成される。また、表示部材は、入射した光を調光部へ導光するように構成される。この表示装置によれば、調光部の状態を切り替えることにより、ユーザが表示装置を使用している状況に応じた、ボタンの配置、及び／又は、ボタンの機能を説明する文字列等を、表示することができる。
【先行技術文献】
【特許文献】
【０００４】
【特許文献１】特開２００９−４４２２５号公報
【発明の概要】
【発明が解決しようとする課題】
【０００５】
しかしながら、上記表示装置においては、光源から放射された光の一部が表示部材に入射しない虞があった。この結果、光源が光を放射するために消費される電力が過大となってしまう虞があった。
【０００６】
このため、本発明の目的は、上述した課題である「光源が光を放射するために消費される電力が過大となること」を解決することが可能な表示装置を提供することにある。
【課題を解決するための手段】
【０００７】
かかる目的を達成するため本発明の一形態である表示装置は、
光を放射する光源と、
光を散乱させる散乱状態と、光を透過させる透過状態と、に状態を切り替え可能に構成された調光部が埋設されるとともに、上記光源から放射された光のすべてが入射するように構成され、且つ、当該入射した光を上記調光部へ導光するように構成された部材であって、互いに平行な頂面及び底面と側面とを有する部材である表示部材と、
を備える。
【０００８】
また、本発明の他の形態である表示方法は、
光源から光を放射する光放射工程と、
光を散乱させる散乱状態と、光を透過させる透過状態と、に状態を切り替え可能に構成された調光部が埋設されるとともに、互いに平行な頂面及び底面と側面とを有する部材である表示部材へ、上記光源から放射された光のすべてが入射する光入射工程と、
上記入射した光を上記調光部へ導光する導光工程と、
を含む。
【発明の効果】
【０００９】
本発明は、以上のように構成されることにより、光源が光を放射するために消費される電力を低減することができるとともに、輝度ムラ／表示ムラを低減することができる。
【図面の簡単な説明】
【００１０】
【図１】本発明の実施形態に係る携帯電話機の概略構成を表す図である。
【図２】本発明の実施形態に係る入力ユニットの概略構成を表す図である。
【図３】図２のＩＩＩ−ＩＩＩ線を含む平面にて入力ユニットを切断した断面図である。
【図４】本発明の実施形態に係る入力ユニットの分解斜視図である。
【図５】本発明の実施形態に係る透過拡散可変フィルム及び光源の構成を説明するための説明図である。
【図６】本発明の実施形態に係る透過拡散可変フィルム及び光源の構成を説明するための説明図である。
【図７】本発明の実施形態の変形例に係る光源の概略構成を表す断面図である。
【図８】本発明の実施形態の変形例に係る入力ユニットの概略構成を表す断面図である。
【発明を実施するための形態】
【００１１】
本発明の一形態である表示装置は、
光を放射する光源と、
光を散乱させる散乱状態と、光を透過させる透過状態と、に状態を切り替え可能に構成された調光部が埋設されるとともに、上記光源から放射された光のすべてが入射するように構成され、且つ、当該入射した光を上記調光部へ導光するように構成された部材であって、互いに平行な頂面及び底面と側面とを有する部材である表示部材と、
を備える。
【００１２】
これによれば、光源から放射された光のすべてを表示部材へ入射させることができる。即ち、表示部材へ入射されない光が光源から放射されることを回避することができる。この結果、光源が光を放射するために消費される電力を低減することができる。
【００１３】
この場合、上記表示装置は、
上記光源から放射された光が上記表示部材の側面から入射するように構成され、且つ、当該入射した光が当該表示部材の頂面及び底面にて反射される範囲内の角度にて、上記光源から放射された光が当該側面へ入射するように構成されることが好適である。
【００１４】
これによれば、表示部材に入射した光がそのまま頂面又は底面から外部へ放射されることを防止することができる。この結果、表示部材に入射した光を確実に調光部へ導光することができる。
【００１５】
この場合、上記光源は、発光部により発せられた光を集光する集光部を有することが好適である。
【００１６】
これによれば、光源が備える発光部により発せられる光が比較的広い範囲に放射される場合であっても、集光部により集光された光を表示部材へ入射させることができるので、光源から放射された光のすべてを表示部材へ入射させることができる。
【００１７】
この場合、上記表示部材の側面は、上記入射した光を全反射するように形成されることが好適である。
これによれば、表示部材に入射した光が側面から外部へ放射されることを防止することができる。この結果、表示部材に入射した光が無駄に漏洩することを防止することができる。
【００１８】
また、本発明の他の態様に係る表示部材の側面は、上記入射した光の一部を透過させるように形成されることが好適である。
これによれば、表示部材に入射した光の一部を側面から外部へ放射させることができる。この結果、表示装置を光により装飾することができる。
【００１９】
この場合、上記調光部は、当該調光部に印加されている電圧に応じて上記状態を切り替えるように構成されることが好適である。
これによれば、調光部の状態を容易に且つ迅速に切り替えることができる。
【００２０】
この場合、上記調光部は、ＰＮＬＣ（Ｐｏｌｙｍｅｒ  Ｎｅｔｗｏｒｋ  Ｌｉｑｕｉｄ  Ｃｒｙｓｔａｌ）からなることが好適である。
【００２１】
この場合、上記表示装置は、
ユーザによって接触された場合に当該ユーザが接触した位置に応じた信号を出力し、且つ、上記表示部材の頂面に積層された入力部材を備えることが好適である。
【００２２】
これによれば、例えば、ボタンを表示するように表示部材が構成されている場合、ユーザが表示装置を使用している状況に応じて、ボタンの配置を変更したり、ボタンの機能を説明する文字列を変更したり、することができる。この結果、ユーザの利便性を向上させることができる。
【００２３】
この場合、上記表示装置は、携帯電話機に配設されることが好適である。
【００２４】
また、本発明の他の形態である表示方法は、
光源から光を放射する光放射工程と、
光を散乱させる散乱状態と、光を透過させる透過状態と、に状態を切り替え可能に構成された調光部が埋設されるとともに、互いに平行な頂面及び底面と側面とを有する部材である表示部材へ、上記光源から放射された光のすべてが入射する光入射工程と、
上記入射した光を上記調光部へ導光する導光工程と、
を含む。
【００２５】
この場合、上記光入射工程は、上記光源から放射された光が上記表示部材の側面から入射するように構成され、且つ、当該入射した光が当該表示部材の頂面及び底面にて反射される範囲内の角度にて、上記光源から放射された光が当該側面へ入射するように構成されることが好適である。
【００２６】
上述した構成を有する、表示方法、の発明であっても、上記表示装置と同様の作用を有するために、上述した本発明の目的を達成することができる。
【００２７】
以下、本発明に係る、表示装置、及び、表示方法、の実施形態について図１〜図８を参照しながら説明する。
【００２８】
＜実施形態＞
図１に示したように、実施形態に係る携帯電話機１は、折り畳み式の携帯電話機である。携帯電話機１は、第１の筐体１ａと、第２の筐体１ｂと、を備える。
【００２９】
第１の筐体１ａ及び第２の筐体１ｂのそれぞれは、平板状に形成されている。第１の筐体１ａ及び第２の筐体１ｂのそれぞれは、正面視において長方形状を有している。第１の筐体１ａ及び第２の筐体１ｂは、それぞれの短辺が互いに連接するように、図示しないヒンジユニットを介して連結されている。
【００３０】
また、第１の筐体１ａには、表示装置としての入力ユニット２が配設されている。更に、第２の筐体１ｂには、ディスプレイユニット９が配設されている。
ディスプレイユニット９は、画像及び文字を表示するディスプレイを含む。
【００３１】
入力ユニット２は、図２に示したように、表示部材としての透過拡散可変フィルム３と、入力部材としてのタッチパネル４と、２つの光源５，６と、を備える。
【００３２】
図１及び図２のＩＩＩ−ＩＩＩ線を含む平面にて入力ユニット２を切断した断面図である図３に示したように、透過拡散可変フィルム３は、互いに平行な頂面３ａ及び底面３ｂと側面３ｃとを有する平板状の部材である。透過拡散可変フィルム３は、正面視において長方形状を有している。
【００３３】
タッチパネル４は、互いに平行な頂面４ａ及び底面４ｂと側面４ｃとを有する平板状の部材である。タッチパネル４は、底面４ｂが透過拡散可変フィルム３の頂面３ａと接するように、透過拡散可変フィルム３の頂面３ａに積層されている。
【００３４】
タッチパネル４は、ユーザによって接触された場合に当該ユーザが接触した位置に応じた信号を出力するように構成されている。
【００３５】
例として、各光源５，６が、直方体状の部材から成り、光源５，６が、透過拡散可変フィルム３の短辺方向における両端部に１つずつ配置されている場合を考える。各光源５，６は、透過拡散可変フィルム３の長辺方向において、透過拡散可変フィルム３と略同じ長さを有するように形成されている。各光源５，６は、透過拡散可変フィルム３の短辺方向における側面３ｃと対向するように、透過拡散可変フィルム３の長辺方向に沿って配置されている。
【００３６】
光源６は、図３に示したように、筐体６ａと、発光部６ｂと、を備える。なお、光源５も、光源６と同様の構成を有する。
【００３７】
発光部６ｂは、光を発するダイオード（発光ダイオード）である。発光部６ｂは、筐体６ａに収容されている。筐体６ａの透過拡散可変フィルム３側の面には、開口部６ｃが形成されている。この開口部６ｃは、透過拡散可変フィルム３の厚さ方向に沿った１対の短辺と、透過拡散可変フィルム３の長辺方向に沿った１対の長辺と、を有する長方形状である。
【００３８】
開口部６ｃの短辺の長さは、透過拡散可変フィルム３の厚さよりも短い。開口部６ｃの１対の長辺の中間に位置する直線は、頂面３ａ及び底面３ｂの中間に位置する平面と同一の平面内に位置している。
【００３９】
このような構成により、光源６は、入力ユニット２の分解斜視図である図４に概念的に示したように、透過拡散可変フィルム３の短辺方向における側面３ｃへ光を放射する。
【００４０】
また、図２及び図３に示したように、透過拡散可変フィルム３には、複数（本例では、１４個）の調光部３ｄが埋設されている。
【００４１】
各調光部３ｄは、ＰＮＬＣ（Ｐｏｌｙｍｅｒ  Ｎｅｔｗｏｒｋ  Ｌｉｑｕｉｄ  Ｃｒｙｓｔａｌ）からなる。各調光部３ｄは、平板状に形成されている。各調光部３ｄは、透過拡散可変フィルム３の厚さ方向（頂面３ａ及び底面３ｂに直交する方向）における両端面に図示しない１対の電極を備える。
【００４２】
各調光部３ｄは、電極間に所定の電圧が印加されている場合に、透過拡散可変フィルム３の厚さ方向にて光を透過させる。各調光部３ｄは、電極間に所定の電圧が印加されていない場合に、光を散乱させる。即ち、各調光部３ｄは、印加されている電圧に応じて、光を散乱させる散乱状態と、光を透過させる透過状態と、に状態を切り替えるように構成されている。
【００４３】
透過拡散可変フィルム３は、各光源５，６により放射された光のうちの、透過拡散可変フィルム３に入射した光を調光部３ｄへ導光するように構成されている。
【００４４】
このような構成により、各光源５，６から放射された光は、透過拡散可変フィルム３の側面３ｃから透過拡散可変フィルム３へ入射する。そして、透過拡散可変フィルム３は、入射した光を各調光部３ｄへ導光する。
【００４５】
そして、各調光部３ｄに電圧が印加されていない場合、各調光部３ｄは、導光された光を散乱する。これにより、透過拡散可変フィルム３の頂面３ａ側から透過拡散可変フィルム３を見たユーザは、調光部３ｄを認識することができる（即ち、ユーザには調光部３ｄが見える）。
【００４６】
一方、各調光部３ｄに電圧が印加されている場合、各調光部３ｄは、透過拡散可変フィルム３の厚さ方向にて光を透過させる。これにより、透過拡散可変フィルム３の頂面３ａ側から透過拡散可変フィルム３を見たユーザは、調光部３ｄを認識することができない（即ち、ユーザには調光部３ｄが見えない）。
【００４７】
次に、透過拡散可変フィルム３及び光源５，６の構成について図５を参照しながら詳細に説明する。
透過拡散可変フィルム３及び光源５，６は、光源５，６から放射された光のすべてが透過拡散可変フィルム３の側面３ｃから入射するように構成されている。具体的には、透過拡散可変フィルム３及び光源５，６は、下記式（１）〜（２）を満足するように構成されている。
ａ＞ｂ            …（１）
ｔａｎθ１≦（ａ−ｂ）／２ｃ    （但し、０≦θ１＜π／２）    …（２）
【００４８】
ここで、ａは、透過拡散可変フィルム３の厚さ（即ち、頂面３ａと底面３ｂとの間の距離）である。ｂは、開口部６ｃの短辺の長さである。ｃは、透過拡散可変フィルム３の短辺方向における透過拡散可変フィルム３と光源６との間の距離である。θ１は、光源６から放射される光が進む方向と、頂面３ａ及び底面３ｂと平行な平面と、がなす角度の最大値（照射角）である。
【００４９】
ところで、光源５，６から放射された光が進む方向と、頂面３ａ又は底面３ｂと平行な平面と、がなす角度である入射角が比較的大きい場合、透過拡散可変フィルム３の側面３ｃへ入射した光が、そのまま頂面３ａ又は底面３ｂから透過拡散可変フィルム３の外部へ放射されてしまう。この場合、透過拡散可変フィルム３に入射した光を調光部３ｄへ導光することができない。
【００５０】
そこで、透過拡散可変フィルム３及び光源５，６は、透過拡散可変フィルム３に入射した光が透過拡散可変フィルム３の頂面３ａ及び底面３ｂにて反射される範囲内の角度にて、光源５，６から放射された光が側面３ｃへ入射するように構成されている。具体的には、透過拡散可変フィルム３及び光源５，６は、下記式（３）を満足するように構成されている。
０≦ｓｉｎθ１≦（ｎ２／ｎ１）・｛１−（ｎ１／ｎ２）２｝１／２      …（３）
【００５１】
ここで、ｎ１は、標準状態における空気の絶対屈折率であり、ｎ２は、透過拡散可変フィルム３の絶対屈折率である。但し、ｎ１＜ｎ２である。
【００５２】
次に、上記式（３）の導出方法について説明する。
先ず、光源５，６から放射された光が透過拡散可変フィルム３の側面３ｃへ入射する角度（光源５，６から放射された光が進む方向と、頂面３ａ又は底面３ｂと平行な平面と、がなす角度）である入射角をθ１とおく。更に、透過拡散可変フィルム３に入射した光が進む方向と、頂面３ａ又は底面３ｂと平行な平面と、がなす角度である屈折角をθ２とおく。ここで、スネルの法則に従えば、入射角θ１と屈折角θ２との関係は、下記式（４）により表される。
ｎ１・ｓｉｎθ１＝ｎ２・ｓｉｎθ２      …（４）
【００５３】
また、透過拡散可変フィルム３に入射した光が頂面３ａ又は底面３ｂへ入射する角度（透過拡散可変フィルム３に入射した光が進む方向と、側面３ｃと平行な平面と、がなす角度）である入射角をθｔとおく。ここで、スネルの法則に従えば、透過拡散可変フィルム３に入射した光が頂面３ａ又は底面３ｂへ入射した場合に、頂面３ａ又は底面３ｂにて全反射される入射角θｔの最大値（即ち、臨界角）θｃは、下記式（５）により表される。
ｓｉｎθｃ＝ｎ１／ｎ２      …（５）
【００５４】
従って、透過拡散可変フィルム３に入射した光が頂面３ａ又は底面３ｂへ入射した場合に、頂面３ａ又は底面３ｂにて全反射される入射角θｔの範囲は、下記式（６）により表される。
ｓｉｎθｔ≧ｓｉｎθｃ      …（６）
【００５５】
また、側面３ｃと、頂面３ａ又は底面３ｂと、が互いに直交している場合には、屈折角θ２と入射角θｔとの関係は、下記式（７）により表される。
ｓｉｎθｔ＝ｃｏｓθ２      …（７）
【００５６】
上記式（５）〜式（７）により、下記式（８）が導出される。
ｃｏｓθ２≧ｎ１／ｎ２      …（８）
【００５７】
更に、上記式（４）及び式（７）により、下記式（９）が導出される。
ｓｉｎθ１＝ｎ２／ｎ１・ｓｉｎθ２
＝ｎ２／ｎ１・｛１−ｃｏｓ２θ２｝１／２      …（９）
【００５８】
ここで、０＜ｃｏｓθ２＜１であるから、上記式（８）及び式（９）により、上記式（３）が導出される。
【００５９】
このように構成された携帯電話機１によれば、各光源５，６から光が放射される（光放射工程）と、放射された光のすべては、透過拡散可変フィルム３の側面３ｃから透過拡散可変フィルム３へ入射する（光入射工程）。そして、透過拡散可変フィルム３に入射した光が頂面３ａ又は底面３ｂへ到達すると、その光は、頂面３ａ又は底面３ｂにて反射される。その後、透過拡散可変フィルム３は、入射した光を各調光部３ｄへ導光する（導光工程）。
【００６０】
ところで、携帯電話機１は、ユーザが携帯電話機１を使用している状況（例えば、携帯電話機１が実行しているアプリケーションプログラム）に応じて、各調光部３ｄへの電圧の印加を制御する。
【００６１】
そして、各調光部３ｄに電圧が印加されていない場合、各調光部３ｄは、導光された光を散乱する。これにより、透過拡散可変フィルム３の頂面３ａ側から透過拡散可変フィルム３を見たユーザは、調光部３ｄを認識することができる。
【００６２】
一方、各調光部３ｄに電圧が印加されている場合、各調光部３ｄは、透過拡散可変フィルム３の厚さ方向にて光を透過させる。これにより、透過拡散可変フィルム３の頂面３ａ側から透過拡散可変フィルム３を見たユーザは、調光部３ｄを認識することができない。
【００６３】
以上、説明したように、本発明による表示装置の実施形態によれば、光源５，６から放射された光のすべてを透過拡散可変フィルム３へ入射させることができる。即ち、透過拡散可変フィルム３へ入射されない光が光源５，６から放射されることを回避することができる。この結果、光源５，６が光を放射するために消費される電力を低減することができるとともに、輝度ムラ／表示ムラを低減することができる。
【００６４】
更に、上記実施形態によれば、透過拡散可変フィルム３に入射した光がそのまま頂面３ａ又は底面３ｂから外部へ放射されることを防止することができる。この結果、透過拡散可変フィルム３に入射した光を確実に調光部３ｄへ導光することができる。
【００６５】
加えて、上記実施形態によれば、例えば、ボタンを表示するように透過拡散可変フィルム３が構成されている場合、ユーザが携帯電話機１を使用している状況に応じて、ボタンの配置を変更したり、ボタンの機能を説明する文字列を変更したり、することができる。この結果、ユーザの利便性を向上させることができる。
【００６６】
ところで、透過拡散可変フィルム３の厚さが薄くされることにより、又は、光源６により放射される光の量を増加させるために開口部６ｃの短辺が長くされることにより、透過拡散可変フィルム３の厚さが開口部６ｃの短辺よりも薄くなる場合がある。
【００６７】
この場合、図７に示したように、光源６は、発光部６ｂにより発せられた光を集光する集光部８を有することが好適である。集光部８は、発光部６ｂの一部であってもよいし、発光部６ｂと別の部材であってもよい。集光部８は、反射板、プリズム、又は、光ファイバー等の光学部品により構成されていてもよい。
【００６８】
これによれば、光源６が備える発光部６ｂにより発せられる光が比較的広い範囲に放射される場合であっても、集光部８により集光された光を透過拡散可変フィルム３へ入射させることができるので、光源６から放射された光のすべてを透過拡散可変フィルム３へ入射させることができる。
【００６９】
なお、本発明は上記実施形態に限定されることはなく、本発明の範囲内において種々の変形例を採用することができる。例えば、上記実施形態の変形例において、透過拡散可変フィルム３の側面３ｃは、透過拡散可変フィルム３に入射した光を全反射するように形成されていることが好適である。例えば、側面３ｃに鏡面加工、ランダム加工、又は、プリズム加工等を行うことが好適である。これによれば、透過拡散可変フィルム３に入射した光が側面３ｃから外部へ放射されることを防止することができる。この結果、透過拡散可変フィルム３に入射した光が無駄に漏洩することを防止することができる。
【００７０】
また、上記実施形態の他の変形例において、透過拡散可変フィルム３の側面３ｃは、透過拡散可変フィルム３に入射した光の一部を透過させるように形成されていることが好適である。例えば、側面３ｃに拡散処理、又は、プリズム加工等を行うことが好適である。これによれば、透過拡散可変フィルム３に入射した光の一部を側面３ｃから外部へ放射させることができる。この結果、携帯電話機１を光により装飾することができる。
【００７１】
また、上記実施形態の他の変形例において、図８に示したように、入力ユニット２は、光源５，６に代えて、光源７を備えていてもよい。光源７は、透過拡散可変フィルム３の底面３ｂに積層されている。光源７は、面発光することにより発光した光を放射する。この場合、透過拡散可変フィルム３の頂面３ａ側から透過拡散可変フィルム３を見たユーザに、光源７が見えないように、透過拡散可変フィルム３の底面３ｂに拡散パターンを形成することが好適である。
【００７２】
また、上記実施形態においては、表示装置としての入力ユニット２は、携帯電話機１に適用されていたが、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、ナビゲーション端末、パーソナルコンピュータ及びゲーム機等に適用されていてもよい。
【００７３】
また、上記実施形態の他の変形例として、上述した実施形態及び変形例の任意の組み合わせが採用されてもよい。
【産業上の利用可能性】
【００７４】
本発明は、携帯電話機、ナビゲーション端末、パーソナルコンピュータ及びゲーム機等の電子機器に搭載され、且つ、ユーザが当該電子機器に情報を入力するための装置である入力装置等に適用可能である。
【符号の説明】
【００７５】
１      携帯電話機
１ａ    第１の筐体
１ｂ    第２の筐体
２      入力ユニット
３      透過拡散可変フィルム
３ａ    頂面
３ｂ    底面
３ｃ    側面
３ｄ    調光部
４      タッチパネル
４ａ    頂面
４ｂ    底面
４ｃ    側面
５，６  光源
６ａ    筐体
６ｂ    発光部
６ｃ    開口部
７      光源
８      集光部
９      ディスプレイユニット
【図１】
2010250031.tif 000003
【図２】
2010250031.tif 000004
【図３】
2010250031.tif 000005
【図４】
2010250031.tif 000006
【図５】
2010250031.tif 000007
【図６】
2010250031.tif 000008
【図７】
2010250031.tif 000009
【図８】
2010250031.tif 000010